(57)【要約】【課題】  具や薬味をできる限り手間を掛けないで麺に混ぜることができ、しかも、傾けてもスープがこぼれないような麺類容器を提供する。【解決手段】  鉢状の容器（１）と、高さが鉢状容器の高さの約半分である無底の筒状ポケット（２１）２〜３個と、高さが無底ポケットより２〜３割高い有底の筒状ポケット（２２）１個を備え、鉢状容器の上縁部に係合する周縁部を有する仕切皿（２）と、鉢状容器の上縁部に係合する周縁部を有し鉢状容器の開口部全体を覆う蓋（４）とを備える麺類容器であって、鉢状容器、仕切皿及び蓋は硬質プラスチック・シートから成り、更に鉢状容器の中間高さにおける水平断面のうち、無底ポケットが存在する部分を覆う平面形状を有し、周縁の一部に指で持つための耳を有する軟質プラスチック・フィルム製の中敷き（３）を備える。【選択図】図１
0003101995.tif 000002
【実用新案登録請求の範囲】
【請求項１】
鉢状の容器（１）と、
高さが鉢状容器（１）の高さの約半分である無底の筒状ポケット（２１）２〜３個と、高さが無底ポケット（２１）より２〜３割高い有底の筒状ポケット（２２）１個を備え、鉢状容器（１）の上縁部に係合する周縁部を有する仕切皿（２）と、
鉢状容器（１）の上縁部に係合する周縁部を有し鉢状容器（１）の開口部全体を覆う蓋（４）と、を備える麺類容器であって、
鉢状容器（１）、仕切皿（２）及び蓋（４）は硬質プラスチック・シートから成り、
更に、鉢状容器（１）の中間の高さにおける水平断面のうち、無底ポケット（２１）が存在する部分を覆う平面形状を有し、周縁の一部に指で持つための耳を有する、軟質プラスチック・フィルム製の中敷き（３）を備え、
麺を収容する際は、鉢状容器（１）の底に麺を入れ、麺の上に中敷き（３）を載せ、中敷きの上に更に仕切皿（２）を載せ、仕切皿（２）の無底ポケット（２１）に具及び薬味を入れ、袋入りのスープを有底ポケット（２２）に入れて、蓋（４）を閉じ、
麺を食べる際は、蓋（４）を開け、中敷き（３）を引き抜いて無底ポケット（２１）内の具及び薬味を麺の上に落とした後、仕切皿（２）を取り去り、スープの袋を破ってスープを麺に注ぐことを特徴とする麺類容器。
【考案の詳細な説明】
【技術分野】
【０００１】
本考案は、スープ、具、薬味付きの麺類を収容するプラスチック製容器に関するものである。
【背景技術】
【０００２】
コンビニエンスストア等で売られている即席生麺は、スープ、具、薬味等が互いに混ざり合わないように別々の袋に入れられ、又は袋なしの状態で容器の一部に収容されており、食前にこれらを取り出して麺に混ぜるようになっている。
【０００３】
しかしながら、スープ、具、薬味等を袋から取り出すための操作は、袋が簡単に破れない場合があって、常に容易とはいえない。そのため、手指に障害のある人や、健常者でも状況によっては（例えば、容器を膝に置くしかないような場合）、食前の準備に手間どることがある。
【０００４】
特許文献１に開示された「麺類容器」は、このような問題に一つの解決を与えるものかも知れない。この容器では麺、スープ、具等は単に分離して収容されているだけで、個々に袋に入れられていないからである。しかしこの容器構造では、もし容器を傾けるとスープが外にこぼれたり、具や薬味を濡らすおそれがあるように思われる。
【０００５】
【特許文献１】特開２００１−３４８０７４号公報
【考案の開示】
【考案が解決しようとする課題】
【０００６】
本考案が解決しようとする課題は、具や薬味をできる限り手間を掛けないで麺に混ぜることができ、しかも、傾けてもスープがこぼれないような麺類容器を提供することである。
【課題を解決するための手段】
【０００７】
上記の課題を解決するために、スープだけは袋入りとせざるを得ないが、それ以外の具や薬味は袋に入れないで、ワンタッチで麺に混ざるようにする。そのため、硬質プラスチック・シート製の麺類容器の構造を下記のようにするのが良い。
【０００８】
鉢状の容器の一番下に麺、その上に中敷き、更にその上に仕切皿を載せる。仕切皿には底のない筒状のポケットを２〜３個設けて必要数の具と薬味をそれぞれ袋を用いないで収容し、１個の有底の筒状ポケットを設けて袋入りのスープを収容し、その上から蓋をする。この場合、有底ポケットは背が高いので、麺を片寄せて有底ポケットが入るスペースを作るようにする。
【０００９】
中敷きは薄いプラスチック・フィルム製であり、下から麺に支えられた状態で仕切皿の無底ポケットの底を塞ぎ、具と薬味等が麺と混ざり合わないように隔離する。ただし、中敷きは有底ポケットの底部に掛からない大きさにする。中敷きの縁には耳を付け、そこを持って引き抜けるようにする。
【００１０】
麺を食べる前に容器の蓋を開けて中敷きを引き抜くと、具と薬味が麺の上に落ちる。袋入りのスープを仕切皿の有底ポケットから取り出す。仕切皿を取り除き、袋を破ってスープを麺に注ぐ。以上に述べた容器の構造は請求項１に対応している。
【考案の効果】
【００１１】
請求項１の発明により、具や薬味をできる限り手間を掛けないで麺に混ぜることができ、しかも、輸送・保管中に容器を傾けてもスープがこぼれない麺類容器が提供される。
【考案を実施するための最良の形態】
【００１２】
本発明を実施するための最良の形態を実施例１により説明する。
【実施例１】
【００１３】
図１は、本実施例としての麺類容器の各部の構造を説明する図である。図１において参照符号１は鉢状容器、２は仕切皿、３は中敷き、４は蓋、２１は仕切皿２の中の無底ポケット、２２は有底ポケットを示す。
【００１４】
上記鉢状容器１、仕切皿２、蓋４は硬質プラスチック・シートから型押し成型により形成する。中敷き３は薄いプラスチック・フィルム製である。
【００１５】
仕切皿２には、高さが前記鉢状容器１の高さの約半分である無底の筒状ポケット２１を必要個数（２〜３個）形成し、有底のポケット２２を１個形成する。仕切皿２は鉢状容器１の上縁部に係合する（引っかかる）周縁部を有する。中敷き３は仕切皿２の無底の筒状ポケット２１の底を塞ぐが、有底ポケットには掛からない大きさ・形状にする。中敷き３には、取り去る際、指でつまんで引っ張ることができるように耳を付ける。
【００１６】
図１に示す麺類容器に麺、スープ、具、薬味を収容する際は、鉢状容器１の底に麺を入れ、麺の上に中敷き３を載せ、中敷き３の上に更に仕切皿２を載せ、仕切皿２の無底ポケット２１に具及び薬味を入れ、有底ポケット２２に袋入りのスープを入れて、蓋４を閉じる。この場合、有底ポケット２２は背が高いので、麺を片寄せて有底ポケットが入るスペースを作るようにする。なお、図１の右下部分に内容物を収容した麺類容器の図を掲げる。
【００１７】
容器中の麺を食べる際は、蓋４を開け、中敷き３を引き抜いて無底ポケット２１内の具及び薬味を麺の上に落とした後、袋入りのスープを有底ポケット２２から取り出し、仕切皿２を取り去り、スープの袋を破ってスープを麺に注ぐ。
【産業上の利用可能性】
【００１８】
本考案は即席麺用のプラスチック容器に関するものであるから、食品産業、食品流通産業、プラスチック加工産業等多くの産業分野において利用され、これらの産業の発達に寄与することができる。
【図面の簡単な説明】
【００１９】
【図１】実施例としての麺類容器の各部の構造を説明する図である。
【符号の説明】
【００２０】
１  鉢状容器
２  仕切皿
３  中敷き
４  蓋
２１  無底ポケット
２２  有底ポケット
【図１】
0003101995.tif 000003